(57)【要約】【課題】耐久性や美観に優れた足踏み式ドアハンドル操作装置とドアを提供する。また、あらゆるタイプのドアに強固に取り付けることができ、垂直方向の寸法を調整できる足踏み式ドアハンドル操作装置を提供する。【解決手段】足を使用してレバーハンドル２１０を回転させ、ドア２００を開閉する足踏み式ドアハンドル操作装置１００であって、レバーハンドル２１０に取り付けられる第１の線状部材１１０と、第１の線状部材１１０をドアのラッチボルト２３０側に寄せ、垂直下方に案内する案内機構１２０と、第１の線状部材１１０と連結される棒状又は板状の直線部材１３０と、直線部材１３０に連結され、ドア２００の下方に設置される足踏み機構１４０と、から構成され、足踏み機構１４０は、スプリングと連結した足踏み板を備える。【選択図】図１
0003229028.tif 000002
【実用新案登録請求の範囲】
【請求項１】
足を使用してレバーハンドルを回転させ、ドアを開閉する足踏み式ドアハンドル操作装置であって、
前記レバーハンドルに取り付けられる第１の線状部材と、
前記第１の線状部材を前記ドアのラッチボルト側に寄せ、垂直下方に案内する案内機構と、
前記第１の線状部材と連結される棒状又は板状の直線部材と、
前記直線部材に連結され、前記ドアの下方に設置される足踏み機構と、
から構成され、
前記足踏み機構は、スプリングと連結した足踏み板を備えることを特徴とする足踏み式ドアハンドル操作装置。
【請求項２】
足を使用してドアノブを回転させ、ドアを開閉する足踏み式ドアハンドル操作装置であって、
前記ドアノブに取り付けられる補助ハンドルと、
前記補助ハンドルに取り付けられる第１の線状部材と、
前記第１の線状部材を前記ドアのラッチボルト側に寄せ、垂直下方に案内する案内機構と、
前記第１の線状部材と連結される棒状又は板状の直線部材と、
前記直線部材に連結され、前記ドアの下方に設置される足踏み機構と、
から構成され、
前記足踏み機構は、スプリングと連結した足踏み板を備えることを特徴とする足踏み式ドアハンドル操作装置。
【請求項３】
足を使用してドアハンドルを押す又は引いて、ドアを開閉する足踏み式ドアハンドル操作装置であって、
前記ドアハンドル又はドア本体に設置され、一部を引っ張る動作と連動して前記ドアハンドルをドア方向に押す又は引く押引機構と、
前記押引機構の一部に取り付けられる第１の線状部材と、
前記第１の線状部材を垂直下方に案内する縦方向の案内機構と、
前記第１の線状部材と連結される棒状又は板状の直線部材と、
前記直線部材に連結され、前記ドアの下方に設置される足踏み機構と、
から構成され、
前記足踏み機構は、スプリングと連結した足踏み板を備えることを特徴とする足踏み式ドアハンドル操作装置。
【請求項４】
前記案内機構は、前記第１の線状部材を案内する滑車を備えていることを特徴とする請求項１〜３のいずれかに記載の足踏み式ドアハンドル操作装置。
【請求項５】
前記直線部材は、縦方向の長さを変更可能に構成されていることを特徴とする請求項１〜４のいずれかに記載の足踏み式ドアハンドル操作装置。
【請求項６】
前記足踏み機構の前記スプリングは、第２の線状部材を介して前記足踏み板と連結し、前記スプリングと前記足踏み板の間に第２の線状部材を案内する滑車を備えることを特徴とする請求項１〜５のいずれかに記載の足踏み式ドアハンドル操作装置。
【請求項７】
ラッチ錠の錠ケース内の角芯の回転と連動して、ラッチボルトをドア側面に突出又は退入させて開閉されるドアであって、
前記角芯を回転させる回転機構と、
前記回転機構に取り付けられる第１の線状部材と、
前記第１の線状部材を前記ドア表面に案内するガイドと、
前記第１の線状部材と連結され、前記ドア表面に設置される足踏み機構と、
から構成され、
前記足踏み機構は、滑車を介して前記第１の線状部材と連結した足踏み板を備えることを特徴とするドア。
【請求項８】
前記回転機構は、滑車を備えていることを特徴とする請求項７に記載のドア。
【考案の詳細な説明】
【技術分野】
【０００１】
本考案は、手を使用せず、足を使用してドアハンドルを操作し、ドアを開閉することができる足踏み式ドアハンドル操作装置及びドアに関する。
【背景技術】
【０００２】
一般に、ドアを開閉する際にはドアハンドルの操作が必要となるが、両手に物を持っているときや手が汚れている場合など、ドアハンドルに触らないでドアを開閉したい場合がある。また、近頃のコロナウィルスの感染予防として、ドアハンドルからの細菌感染を防止するため、手を使わずに足を使用してドアの開閉ができる簡単な道具や装置の需要が高まっている。従来、そのような要望に応えるため、足を使用してドアハンドルを操作できる道具や装置が開発されている。
【０００３】
例えば、特許文献１には、ドアのハンドルを回転させてドアを開扉可能状態にするドアハンドル操作具が開示されている。それによると、ペダルを足で踏み下げることで、簡単にドアハンドルを回転させることができるとされている。また、特許文献２のドア開閉装置は、ドアノブに連結された足踏み板を足で押し下げることによって開き戸の錠を開放する装置で、さらに足踏み板の底部に車輪を備えている。それによると、足で開き戸の錠を開放した状態で、そのまま足で開き戸を円滑に開閉できるとされている。
【先行技術文献】
【特許文献】
【０００４】
【特許文献１】特開平１０−５４１６２号公報
【特許文献２】特許第６７２２９６８号公報
【考案の概要】
【考案が解決しようとする課題】
【０００５】
特許文献１のドアハンドル操作具や特許文献２のドア開閉装置は、ペダルのベース取り付け部がドアハンドルの下端に備えられるため、ドアハンドルの横側にガラススリッドが上から下まで通ったガラスドアや、框ドアには強固に取り付けることが困難な場合があり、ガラス部分や框が入っていない部分に取り付けた場合には耐久性の面で課題がある。また、ペダルのベース取り付け部の高さを好みの高さにしたい場合にも、框が入っていない部分には強固に固定できないという課題がある。
【０００６】
さらに、ドアハンドル又はドアノブの取付け部とペダルを結ぶ線状部材は、カバーやケース等で覆われておらず、外部に露出しているため、使用者が足や手、服等を引っ掛けてしまうなど安全面や耐久性、美観の面に課題があった。そのため、それらの課題を改善したドアハンドル操作装置やドアが望まれていた。また、ドアのサイズによらず、垂直方向の寸法が調整できるドアハンドル操作具等が望まれていた。さらに、ドアハンドルの多様化に対応して、ドアハンドル又はドアノブ以外に押す又は引いて開閉するバーハンドルタイプのドアにも適用できるドアハンドル操作具等が望まれていた。
【０００７】
本考案は、上記課題に鑑み、耐久性や美観に優れた足踏み式ドアハンドル操作装置とドアを提供することを目的とする。また、あらゆるタイプのドアに強固に取り付けることができ、垂直方向の寸法を調整できる足踏み式ドアハンドル操作装置を提供することを目的とする。
【課題を解決するための手段】
【０００８】
上記目的を達成するため、請求項１に記載の考案は、足を使用してレバーハンドルを回転させ、ドアを開閉する足踏み式ドアハンドル操作装置であって、前記レバーハンドルに取り付けられる第１の線状部材と、前記第１の線状部材を前記ドアのラッチボルト側に寄せ、垂直下方に案内する案内機構と、前記第１の線状部材と連結される棒状又は板状の直線部材と、前記直線部材に連結され、前記ドアの下方に設置される足踏み機構と、から構成され、前記足踏み機構は、スプリングと連結した足踏み板を備えることを特徴とする足踏み式ドアハンドル操作装置である。
請求項２に記載の考案は、足を使用してドアノブを回転させ、ドアを開閉する足踏み式ドアハンドル操作装置であって、前記ドアノブに取り付けられる補助ハンドルと、前記補助ハンドルに取り付けられる第１の線状部材と、前記第１の線状部材を前記ドアのラッチボルト側に寄せ、垂直下方に案内する案内機構と、前記第１の線状部材と連結される棒状又は板状の直線部材と、前記直線部材に連結され、前記ドアの下方に設置される足踏み機構と、から構成され、前記足踏み機構は、スプリングと連結した足踏み板を備えることを特徴とする足踏み式ドアハンドル操作装置である。
請求項３に記載の考案は、足を使用してドアハンドルを押す又は引いて、ドアを開閉する足踏み式ドアハンドル操作装置であって、前記ドアハンドル又はドア本体に設置され、一部を引っ張る動作と連動して前記ドアハンドルをドア方向に押す又は引く押引機構と、前記押引機構の一部に取り付けられる第１の線状部材と、前記第１の線状部材を垂直下方に案内する縦方向の案内機構と、前記第１の線状部材と連結される棒状又は板状の直線部材と、前記直線部材に連結され、前記ドアの下方に設置される足踏み機構と、から構成され、前記足踏み機構は、スプリングと連結した足踏み板を備えることを特徴とする足踏み式ドアハンドル操作装置である。
請求項４に記載の考案は、請求項１〜３のいずれかに記載の足踏み式ドアハンドル操作装置であって、前記案内機構が、前記第１の線状部材を案内する滑車を備えていることを特徴とする。
請求項５に記載の考案は、請求項１〜４のいずれかに記載の足踏み式ドアハンドル操作装置であって、前記直線部材は、縦方向の長さを変更可能に構成されていることを特徴とする。
請求項６に記載の考案は、請求項１〜５のいずれかに記載の足踏み式ドアハンドル操作装置であって、前記足踏み機構の前記スプリングは、第２の線状部材を介して前記足踏み板と連結し、前記スプリングと前記足踏み板の間に第２の線状部材を案内する滑車を備えることを特徴とする。
請求項７に記載の考案は、ラッチ錠の錠ケース内の角芯の回転と連動して、ラッチボルトをドア側面に突出又は退入させて開閉されるドアであって、前記角芯を回転させる回転機構と、前記回転機構に取り付けられる第１の線状部材と、前記第１の線状部材を前記ドア表面に案内するガイドと、前記第１の線状部材と連結され、前記ドア表面に設置される足踏み機構と、から構成され、前記足踏み機構は、滑車を介して前記第１の線状部材と連結した足踏み板を備えることを特徴とするドアである。
請求項８の考案は、請求項７に記載のドアであって、前記回転機構が、滑車を備えていることを特徴とする。
【考案の効果】
【０００９】
本考案の足踏み式ドアハンドル操作装置とドアは、耐久性や美観に優れている。また、本考案の足踏み式ドアハンドル操作装置は、あらゆるタイプのドアに強固に取り付けることができ、垂直方向の寸法を調整できる。
【図面の簡単な説明】
【００１０】
【図１】本考案の第１の実施形態に係る足踏み式ドアハンドル操作装置をドアに取り付けた状態の正面図である。
【図２】図１の足踏み式ドアハンドル操作装置の正面の説明図である。
【図３】図１の足踏み式ドアハンドル操作装置の側面の説明図である。
【図４】本考案の第２の実施形態に係る足踏み式ドアハンドル操作装置のドアノブ取付け部を示す斜視図である。
【図５】（Ａ）バーハンドルの正面図と、（Ｂ）本考案の第３の実施形態に係る足踏み式ドアハンドル操作装置のバーハンドル取付け部を示す側面の説明図である。
【図６】（Ａ）本考案の第４の実施形態に係るドアの正面の説明図と、（Ｂ）その側面の説明図である。
【考案を実施するための形態】
【００１１】
以下、本考案の実施形態（以下、実施例と記す）を、図面に基づいて説明する。以下の図面において、共通する部分には同一の符号を付しており、同一符号の部分に対して重複した説明を省略する。なお、本明細書で使用するドアハンドルという用語は、ドアを開閉させるための取っ手の総称として使用し、ドアノブ（円筒錠、握玉）やレバーハンドル、引いたり押したりして開けるタイプのバーハンドル（プッシュプルハンドル）を含む。
【実施例１】
【００１２】
まず、本考案の第１の実施例に係る足踏み式ドアハンドル操作装置１００の構成について、図１〜３を参照して詳しく説明する。図１は、本考案の第１の実施例に係る足踏み式ドアハンドル操作装置をドアに取り付けた状態の正面図である。図２、図３は、それぞれ図１の足踏み式ドアハンドル操作装置の正面の説明図と、側面の説明図である。図１に示すように、足踏み式ドアハンドル操作装置１００は、ドア２００のドアハンドルに取り付けられ、使用者が足を使用してドア２００を開閉できる装置である。
【００１３】
［ドア２００の構成］
ドア２００は、建物の開口部を開閉する建具であり、その内部構造は様々なものがあるが、主に框戸とフラッシュ戸の２種類に分けられる。框戸は、戸の周囲に框（かまち）と呼ばれる木材をまわして、その内側に格子や羽板、鏡板やガラス板などの板材を嵌め込んだ構造になっている。一方、フラッシュ戸は、は框と桟（さん）と呼ばれる材料で骨組みを作り、表面に板材や合板を張り付ける構造になっている。本考案は、どちらの戸にも取り付けることができるが、本実施例では、框戸に足踏み式ドアハンドル操作装置１００を取り付ける。
【００１４】
図１に示すように、ドア２００は、周囲の框２５０に板材２２０を嵌め込んで構成され、框２５０にドアハンドルと、ドア側面２４０にラッチボルト２３０を備える。ドアハンドルはいかなるタイプでもよいが、本実施例では、下に回して開けるタイプのレバーハンドル２１０を説明する。レバーハンドル２１０は、回転軸２１１から、操作部２１２を棒状にしたハンドルで、下に回すだけの操作で、力をあまり必要としないハンドルであり、近年多くのドアに使用されている。また、板材２２０は、鏡板やガラス板などいかなるものでもよいが、本実施例では木材を使用する。
【００１５】
一般に、ドア側面２４０のラッチボルト２３０は、ドアが風などで開かないようにドア取付け枠（図示せず）に係止させるための装置で、常時突出する状態にばね付勢されて構成されている。ドア取付け枠には、このラッチボルト２３０に対応した凹部が設けられている。ドア２００が閉じている状態では、ラッチボルト２３０がドア取付け枠の凹部に係合しているため、単にドア２００を押したり引いたりしただけでは開くことができないが、レバーハンドル２１０を回し下げることにより、ラッチボルト２３０をドア側面２４０に退入させ、凹部から外すことで係合を解除し、この状態でドア２００を前方に押す又は手前に引くことでドア２００を開くことができる。
【００１６】
図１においては、ドア２００の表側のみ示しているが、ドアの構成は、説明するまでもなく、裏側も左右対称で同様の構成である。本実施例では、ドア２００の表側と裏側の両方に足踏み式ドアハンドル操作装置１００をそれぞれ設置するが、図１のドア２００の表側に設置した例を説明する。ドア２００の裏側への設置も同様であるが、重複した説明を避けるため説明を省略する。
【００１７】
［足踏み式ドアハンドル操作装置１００の構成］
図１に示すように、本実施例の足踏み式ドアハンドル操作装置１００は、主に、レバーハンドル２１０に取り付けられる第１の線状部材１１０と、第１の線状部材１１０をドア２００のラッチボルト２３０側に寄せ、垂直下方に案内する案内機構１２０と、第１の線状部材１１０と連結される棒状又は板状の直線部材１３０と、直線部材１３０に連結され、ドア２００の下方に設置される足踏み機構１４０と、から構成される。
【００１８】
第１の線状部材１１０は、レバーハンドル２１０と直線部材１３０の間を、案内機構１２０を介して連結し、足踏み機構１４０からの引張力を伝達する線材である。第１の線状部材１１０は、いかなる材質でもよいが、耐久性に優れたものが好ましく、本実施例では、ステンレス等の金属製のワイヤを使用する。軽い樹脂製のワイヤを使用してもよい。
【００１９】
引張力を効率よく伝達するため、第１の線状部材１１０（以下、ワイヤ１１０と記す）は、水平状態のレバーハンドル２１０に垂直に取り付けることが好ましい。レバーハンドル２１０にワイヤ１１０を取り付ける方法は、いかなる方法でもよく、結んで取り付けてもよいが、レバーハンドルは上下に激しく回されるため、容易に外れないように強固に取り付けることが好ましい。図２、３に示すように本実施例では、ゴムバンド１１１を使用してレバーハンドル２１０にワイヤ１１０を取り付ける。それにより、容易にかつ強固にワイヤ１１０を取り付けることができる。
【００２０】
図１〜３に示すように、案内機構１２０がレバーハンドル２１０の下方に設置されている。案内機構１２０は、ワイヤ１１０をドア２００のラッチボルト２３０側に寄せ、垂直下方に案内する。案内機構１２０は、ワイヤ１１０を案内するものであれば、いかなるものでもよく、ワイヤ１１０を引っ掛ける棒などを使用してもよいが、本実施例では、滑車（プーリー）１２２、１２３と、それらの回転軸を固定するベース１２１から構成される。レバーハンドル２１０に垂直に取り付けられたワイヤ１１０は、滑車１２２を介してラッチボルト２３０側に水平方向に案内される。そして、水平方向に案内されたワイヤ１１０は、滑車１２３を介して垂直下方に案内される。滑車１２２、１２３を使用することで、滑らかにワイヤ１１０を案内することができ、ワイヤ１１０にかかる引張力を効率よく伝達させることができる。
【００２１】
滑車１２２、１２３の回転軸を固定するベース１２１は、強固に固定するため、ドア２００のラッチボルト２３０側の框２５０上に取り付けられている。ベース１２１の取り付けは、本実施例ではベース１２１と框２５０上に複数の穴を穿設し、ボルト１２４を使用して取り付けている。ベース１２１は、他のネジ等を使用して框２５０上に取り付けてもよい。また、図３に示すように、ベース１２１は段構造で形成されることが好ましい。つまり、レバーハンドル２１０に垂直に取り付けられたワイヤ１１０を案内する滑車１２２は、レバーハンドル２１０と同じ高さ（図３の側面幅Ａ）のベース１２１に取り付けられ、ワイヤ１１０を垂直方向に案内する滑車１２３は、ドア２００の表面に寄せる高さ（図３の側面幅Ｂ）のベース１２１に取り付けることが好ましい。ベース１２１をこのような段構造にすることで、ワイヤ１１０にかかる引張力を効率よく伝達させることができる上に、ワイヤ１１０が連結する直線部材１３０をドア２００表面に接するように安定して設置することができる。
【００２２】
案内機構１２０の下方には、棒状又は板状の直線部材１３０がワイヤ１１０に連結されている。ワイヤ１１０の連結方法はいかなる手段を用いてもよいが、本実施例では直線部材１３０に連結穴１３１を配設し、そこにワイヤ１１０を通して固定する。直線部材１３０の形状は、大部分が直線状に形成されているが、一部を曲げて形成されていてもよい。図３に示すように、本実施例では、直線部材１３０の上部で、ワイヤ１１０と連結しやすい様に連結部分が曲げられて形成されている。また、直線部材１３０の材質は特に限定されないが、例えば、木材や樹脂製、金属製の棒状又は板状を使用することができる。さらに、直線部材１３０には軽量かつ太さのある中空柱（角パイプ、丸パイプなど）を使用してもよい。本実施例では、直線部材１３０に、強度のある金属製の板状部材を使用する。
【００２３】
また、直線部材１３０は、縦方向（垂直方向）の長さをドア２００の寸法に合わせて形成してもよいが、長さを変更可能に構成することもできる。本実施例では、直線部材１３０の長さを変更可能に構成する。本実施例の直線部材１３０は、２枚の板材１３２、１３３で構成され、その２枚の板材１３２、１３３を重ねてスライドさせ、所望の長さで固定することができる。その固定方法は、図２に示すように板材１３２、１３３に複数のネジ穴１３４を配設し、所望の長さに合わせたあと、ネジ穴１３４にネジを通して固定する。他の固定手段を用いてもよい。このように、直線部材１３０の長さを変更可能に構成することで、様々な高さのドア（例えば１８００ｍｍ〜２２００ｍｍ）に対応できる。また、後述の足踏み板１４５を好みの高さに設置できるという利点がある。
【００２４】
足踏み機構１４０は、直線部材１３０に連結されて、ドア２００の下方に設置される。この足踏み機構１４０は、少なくともスプリング１４１と、スプリング１４１に連結した足踏み板１４５を備える。スプリング１４１は、足踏み板１４５が下方に押し下げられた場合に連動して伸ばされ、足踏み板１４５が踏まれていない場合には、元の長さに縮む。スプリング１４１を使用することで、足踏み板１４５を踏んだときのレバーハンドル２１０に対する衝撃を緩和することができる。また、スプリング１４１により、足踏み板１４５の過剰な押し下げを防止できる。スプリング１４１には、例えば、圧縮コイルバネが使用できる。また、スプリング１４１をハウジングで覆う構成としてもよい。本実施例では、スプリング１４１に圧縮コイルバネを使用し、ハウジングで覆う構成としている。ハウジングで覆うことで、スプリング１４１の耐久性を高めることができる。
【００２５】
スプリング１４１は直接、足踏み板１４５と連結させることもできるが、本実施例では、図２と図３に示すように、スプリング１４１を、第２の線状部材１４２を介して足踏み板１４５と連結させる。第２の線状部材１４５の材質は、いかなる材質でもよいが、第１の線状部材１１０と同様にステンレス等の金属製のワイヤを使用する。また、本実施例では、スプリング１４１と足踏み板１４５の間に第２の線状部材１４２を案内する滑車１４６を備える構成としている。滑車１４６を備える構成とすることで、足踏み板１４５を垂直ではなく、斜めに踏み下げることができるようになるため、踵を床に付けたまま踏むこともでき、体勢が保たれ、操作性が向上する。
【００２６】
なお、足踏み板１４５の取付け位置（高さ）は、足踏み板１４５を踏み下げたときに、連動してレバーハンドル２１０が回し下げられ、ラッチボルト２３０がドア取付け枠の凹部から外され、係合が解除される位置であれば特に限定されないが、前述の理由から踵を床に付けたまま踏むことができる位置であることが好ましい。
【００２７】
足踏み機構１４０に滑車１４６を備える構成とするため、ドア２００の下方にベース１４３を取り付け、このベース１４３に滑車１４６の回転軸１４７と足踏み板１４５の回転軸１４８を固定している（図３参照）。このように固定することで、滑車１４６が回転軸１４７を中心に回転でき、足踏み板１４５が回転軸１４８を中心に、図３の矢印方向に下方に動かすことができる。なお、ベース１４３においても、上方のベース１２１と同様に、強固に固定するため、ドア２００のラッチボルト２３０側の框２５０上に取り付けられている。ベース１４３の取り付けは、本実施例では図２に示すように、ベース１４３と框２５０上に複数の穴を穿設し、ボルト１４４を使用して框２５０上に取り付けている。取り付けには、他のネジ等を使用してもよい。
【００２８】
足踏み板１４５は、使用者が足で踏み下げることができる寸法があれば、板状部材でもよいし、特許文献１に示すようなコ字状の枠組みでもよい。また、足踏み板１４５の材質は特に限定されないが、例えば、木材や樹脂製、金属製の板を使用することができる。本実施例では、足踏み板１４５に金属製の板状部材を使用する。また、本実施例では、足踏み板１４５が滑車１４６を介して固定されるため、足踏み板１４５の形状は、図３に示すように一部が緩やかに傾斜（１２０〜１３０度程傾斜）した板材を使用する。それにより、足踏み板１４５が踏まれていない状態で、足踏み板１４５を水平に保つことができる。足踏み板１４５の形状は、これに限定されず、滑車１４６を介さない場合等には、平坦な形状であってもよい。
【００２９】
足踏み板１４５は、足で踏み下げた後に、前方に足で押して又は手前に引いてドア２００を開く際にも使用する。足踏み板１４５を足で踏みやすく、また引きやすくするために、その端部には足掛け部（突状部）を設けてもよい。本実施例では、図３に示すように、足踏み板１４５の端部に緩やかな突状部１４９を設けている。また、足踏み板１４５の上面にも、ゴム材等の滑り止め部材や突状部を設けてもよい。
【００３０】
以上説明したように、足踏み式ドアハンドル操作装置１００が構成されており、ベース１２１とベース１４３を介して、ドア２００のラッチボルト２３０側の框２５０上に取り付けられているため、ドア２００に強固に取り付けることができる。また、直線部材１３０がワイヤ等ではなく、板材等で構成されているため、耐久性や美観に優れている。さらに、直線部材１３０の長さを変更可能に構成していることで、様々なドアに取り付けることができ、また、足踏み板１４５の位置を好みの高さに設置できる。
【００３１】
［作動］
次に、ドア２００に設置されている足踏み式ドアハンドル操作装置１００を使用して、使用者が足でドア２００を開く作動について説明する。使用者が足で足踏み板１４５を下方に押し下げると、足踏み板１４５に連結した第２の線状部材１４５が滑車１４６を介して引かれ、第２の線状部材１４５に連結したスプリング１４１が引き伸ばされる。スプリング１４１が引き伸ばされると、それに連結した直線部材１３０が垂直下向きに引かれ、その上部に連結したワイヤ１１０が垂直下向きに引かれる。ワイヤ１１０は滑車１２２、１２３を介して、水平方向、垂直下向きに引かれ、ワイヤ１１０が連結したレバーハンドル２１０を回し下げる。
【００３２】
レバーハンドル２１０を回し下げられることで、ラッチボルト２３０がドア側面２４０に退入し、ドア取付け枠の凹部との係合が解除される。この状態で使用者が足で足踏み板１４５を前方に押す又は手前に引くことによって、ドア２００を開けることができる。以上の一連の作動により、使用者は足を使用してドア２００を開けることができる。なお、使用者が足踏み板１４５から足を外すことで、足踏み板１４５は水平に戻り、連動してレバーハンドル２１０も水平に戻され、ラッチボルト２３０も突出した状態に戻される。前述のようにラッチボルト２３０はばね付勢されて構成されているため、開いているドア２００は、使用者が足で足踏み板１４５を前方に押す又は手前に引くことによって閉めることができる。以上のようにして、使用者はドア２００に設置されている足踏み式ドアハンドル操作装置１００を使用して、足でドア２００を簡単に開閉できる。
【実施例２】
【００３３】
次に、本考案の第２の実施例に係る足踏み式ドアハンドル操作装置の構成について、図４を参照して詳しく説明する。図４は、本考案の第２の実施例に係る足踏み式ドアハンドル操作装置のドアノブ取付け部を示す斜視図である。第１の実施例とはドアハンドルの種類が異なり、本実施例ではドアハンドルが握って回し開けるタイプのドアノブ（円筒錠、握玉）３１０である。ドアハンドル以外のドアの構成や足踏み式ドアハンドル操作装置の構成は、第１の実施例と同一である。
【００３４】
本実施例のドアにおいても第１の実施例のドア２００の構造と同様に、ドアノブ３１０を回転させることで、ラッチボルトをドア側面に退入させ、ドア取付け枠の凹部から外されることで係合を解除され、ドアを開くことができる。ドアノブ３１０を回転させるために、ドアノブ３１０に直接、第１の線状部材１１０を取り付けるのではなく、補助ハンドル３２０を取り付けて、それを介してドアノブ３１０を回転させる。
【００３５】
補助ハンドル３２０は、ドアノブ３１０に着脱自在に装着される装着部３２１と、装着部３２１をドアノブ３１０に装着後、締め付けて固定する固定部材と、装着部３２１の外周面から遠心方向に向かって突出した棒状のレバー部３２３から構成される。補助ハンドル３２０は、いかなる材質で構成してもよいが、耐久性に優れ、ドアノブ３１０に装着させ易い柔軟な材質が好ましい。本実施例ではステンレス等の金属製の補助ハンドル３２０を使用する。
【００３６】
装着部３２１は棒状又は板状で、ドアノブ３１０の外周を囲むように、ドアノブ３１０の形状に沿って略円形に形成される。本実施例では、装着部３２１の装着部３２１の内周が弾力性のあるゴムで成形されている。それにより、装着部３２１をドアノブ３１０に容易に装着させることができ、また、ゴムの弾力性と滑り止め効果により、装着部３２１をドアノブ３１０に嵌めて固定することができる。
【００３７】
また、レバー部３２３には、装着部３２１に取り付ける固定部材３２２が設けられている。本実施例では、固定部材３２２としてネジを使用し、図４に示すように、レバー部３２３の固定部材３２２を装着部３２１に取り付けて、固定している。レバー部３２３と装着部３２１が一体化されている構成としてもよい。また、レバー部３２３と装着部３２１の構成は、本実施例の構成に限定されず、いかなる構成であってもよい。
【００３８】
なお、補助ハンドル３２０をドアノブ３１０に固定する際、補助ハンドル３２０のレバー部３２３が水平になるように固定することが好ましい。それにより、補助ハンドル３２０を装着したドアノブ３１０が、第１の実施例と同様なレバーハンドルになる。
【００３９】
第１の実施例におけるレバーハンドル２１０の代わりに、補助ハンドル３２０のレバー部３２３に第１の線状部材が取り付けられる。それ以外の構成（第１の線状部材を案内する案内機構や直線部材、足踏み機構等）や作動、効果は、第１の実施例と同一であるため、説明を省略する。以上のようにして、ドアノブ３１０型のドア用の足踏み式ドアハンドル操作装置が構成されている。使用者はドアに設置されている足踏み式ドアハンドル操作装置を使用して、足でドアノブ３１０型のドアを簡単に開閉できる。
【実施例３】
【００４０】
次に、本考案の第３の実施例に係る足踏み式ドアハンドル操作装置の構成について、図５（Ａ）、（Ｂ）を参照して詳しく説明する。図５（Ａ）は、一般的なバーハンドルの正面図、図５（Ｂ）は、本考案の第３の実施例に係る足踏み式ドアハンドル操作装置のバーハンドル取付け部を示す側面の説明図である。第１の実施例及び第２の実施例とはドアハンドルの種類が異なり、本実施例のドアハンドルは、引いたり押したりして開けるタイプのバーハンドル（いわゆるプッシュプルハンドル）である。なお、本実施例のドアハンドルは、軽く押す又は引くだけでドアを開閉できるため、家の玄関ドアのハンドルに使用されることが多い。
【００４１】
図５（Ａ）に示すように、ドアは、周囲の框４２０に板材４３０（例えばガラス板）を嵌め込んで構成され、バーハンドル４１０は、ドアの框４２０上に設置されている。また、バーハンドル４１０は、ハンドル部４１１とハンドル固定部４１２から構成されている。ハンドル部４１１をドアに対して押す又は引くことにより、ラッチボルトをドア側面に退入させ、ドア取付け枠の凹部から外されることで係合を解除され、ドアを開くことができる。
【００４２】
本実施例では、実施例１、２のようにハンドル部４１１に直接、第１の線状部材１１０を取り付けるのではなく、ハンドル部４１１をドア方向に押す又は引く押引機構４５０の一部４５２に取り付けられる。押引機構４５０は、一部４５２を引っ張る動作と連動してハンドル部４１１をドア方向に押す又は引く構成であれば、いかなる構成でもよい。本実施例では、図５（Ｂ）に示すように、ドア板材４３０の方向に凸部形状（山形）４５１でばね付勢されて構成されている。凸部形状４５１は２枚の板材を使用してばね付勢して構成することができる。押引機構４５０の凸部形状４５１は、一部４５２を第１の線状部材１１０で引っ張る動作と連動して平坦（２枚の板材が開く形状）になり、引っ張る動作を止めると凸部形状４５１（２枚の板材が閉じる形状）に戻る。
【００４３】
押引機構４５０は、ハンドル部４１１を押す又は引くことができれば、ドア本体の板材４３０に設置してもよいし框４２０上に設置してもよい。本実施例では、ドア本体の板材４３０上に設置する。また、ハンドル部４１１の裏側に直接、押引機構４５０を設置してもよい。押引機構４５０は、いかなる材質で構成してもよいが、玄関に取り付ける場合が多いことから、耐久性に優れた材質が好ましい。本実施例ではステンレス等の金属製の押引機構４５０を使用する。
【００４４】
第１の線状部材１１０の素材は、実施例１と同様に金属製のワイヤを使用する。第１の線状部材１１０（以下、ワイヤ１１０と記す）は、ドア下方の足踏み機構と連結されるため、引張力を効率よく伝達するよう、垂直下方に案内する縦方向の案内機構を備えている。この縦方向の案内機構４５３は、押引機構４５０と一体に形成されていてもよい。本実施例では、図５（Ｂ）に示すように、案内機構４５３と押引機構４５０は別に設けている。案内機構４５３は、いかなる構成でもよいが、本実施例では実施例１と同様に滑車（プーリー）と、その回転軸を固定するベースから構成される。
【００４５】
押引機構４５０の一部４５２に取り付けられたワイヤ１１０は、案内機構４５３の滑車で垂直下方に案内される。その下方で、ワイヤ１１０と連結される棒状又は板状の直線部材の構成と、足踏み機構の構成や作動、効果は、第１の実施例と同様であるため、説明を省略する。以上のようにして、バーハンドル４１０型のドア用の足踏み式ドアハンドル操作装置が構成されている。使用者は、ドアに設置されている足踏み式ドアハンドル操作装置を使用して、足でバーハンドル４１０型のドアを簡単に開閉できる。
【実施例４】
【００４６】
次に、本考案の第４の実施例に係るドアの構成について、図６（Ａ）、（Ｂ）を参照して詳しく説明する。図６（Ａ）は、本実施例に係るドア５００の正面の説明図、図６（Ｂ）はその側面の説明図である。
【００４７】
図６（Ａ）に示すように、一般に、ドア５００のラッチ錠は、錠ケース２１３に設けられたハブと呼ばれる角孔に角芯２１４が挿通されるもので、その角芯２１４の両端にレバーハンドル２１０がそれぞれ挿着され、レバーハンドル２１０とラッチボルト２３０を機構的に一体化し、レバーハンドル２１０の操作と連動してラッチボルト２３０をドア側面に突出又は退入させるものである。すなわち、レバーハンドル２１０を操作することで、角芯２１４が軸周りに回転し、その角芯２１４の回転がハブに伝動されて、ラッチボルト２３０をドア側面に突出又は退入させることができる。なお、図６（Ａ）では、図の複雑化を避けるため、レバーハンドル２１０の表示を省略して示している。
【００４８】
本実施例のドア５００は、実施例１〜３のようにドアの表面に足踏み式ドアハンドル操作装置を装着させるのではなく、ドア５００の内部にその機能を備える。具体的には、レバーハンドル２１０を回転操作するのではなく、レバーハンドル２１０を両端に装着した角芯２１４を回転操作する。本実施例のドア５００は、角芯２１４を回転させる回転機構２１５と、回転機機構２１５に取り付けられる第１の線状部材１１０と、第１の線状部材をドア５００の表面に案内するガイド２６０と、第１の線状部材１１０と連結され、ドア表面に設置される足踏み機構１４０から構成されている。
【００４９】
回転機機構２１５は、角芯２１４を回転させることができれば、いかなるものでもよいが、本実施例では図６（Ａ）に示すように、滑車を使用する（以下、滑車２１５と記す）。滑車２１５を使用することで、角芯２１４を回転させ易くなる。滑車２１５は、錠ケース２１３内に設けられている。滑車２１５は角芯２１４の一部に固定されており、その滑車２１５の回転と連動して角芯２１４が回転する。第１の線状部材１１０は、いかなる材質でもよいが、実施例１〜３と同様に金属製のワイヤを使用する。第１の線状部材１１０（以下、ワイヤ１１０と記す）は、滑車２１５に固定されており、垂直下方に案内される。ワイヤ１１０を垂直下方に引くことで滑車２１５が回転し、角芯２１４が回転することで、ラッチボルト２３０をドア側面に退入させることができる。
【００５０】
滑車２１５から垂直下方に案内されたワイヤ１１０をドア５００のドア表面に案内するガイド２６０は、図６（Ｂ）に示すように、Ｌ字形でドア下方に設けられ、その一端が、ドアの表面に挿通されている。ガイド２６０には、ワイヤ１１０をドア表面に案内するため、Ｌ字形の中空柱（角パイプ、丸パイプなど）が使用され、その中にワイヤ１１０が通される。また、ガイド２６０の材質は、いかなる材質でもよいが本実施例では金属製のガイド２６０を使用する。
【００５１】
ドア表面に案内されたワイヤ１１０は、ドア表面の下方に設置される足踏み機構１４０と連結される。なお、実施例１〜３と同様に、足踏み板と連結するスプリングを備える構成としてもよく、本実施例では、ガイド２６０内部にスプリング（図示せず）を備える構成とする。スプリングを備えることで、足踏み板１４５を踏んだときの滑車２１５の回転に対する衝撃を緩和することができる。また、スプリングにより、足踏み板１４５の過剰な押し下げを防止できる。スプリングの材質等は実施例１と同様であるため、説明を省略する。
【００５２】
また、図６（Ｂ）に示すように、ガイド２６０と足踏み板１４５の間にワイヤ１１０を案内する滑車１４６を備える。滑車１４６を備える利点と、足踏み板１４５の取付け位置（高さ）、寸法、材質、形状に関しては、実施例１と同様であるため説明を省略する。本実施例においても、ドア５００の下方にベース１４３を取り付け、このベース１４３に滑車１４６の回転軸と足踏み板１４５の回転軸を固定している。このように固定することで、滑車１４６が回転軸を中心に回転でき、足踏み板１４５が回転軸を中心に下方及び上方に動かすことができる。
【００５３】
以上のようにして、ドア５００が構成されている。なお、図６（Ｂ）では、ドアハンドルとしてレバーハンドル２１０（実線）を示しているが、ラッチボルト１３０をドア側面に突出又は退入させて開閉されるドアであれば、いかなるドアハンドルでもよく、想像線で示すようにドアノブ３１０（円筒錠、握玉）でもよいし、バーハンドル（プッシュプルハンドル）４１０でもよい。また、レバーハンドル２１０はドアの両側に備えられているが、図６（Ｂ）では、図の複雑化を避けるため、片側のレバーハンドル２１０の表示を省略して示している。
【００５４】
ドア５００の作動は、第１の実施例と同一であるため、説明を省略する。本実施例のドアは、実施例１〜３にように既存のドアに足踏み式ドアハンドル操作装置を外装させる必要はなく、その機能を内蔵しているため、ドアに装着させる手間がなく、利便性が高い。また、ドアの外観においても、足踏み機構１４０のみが外部に見える構成であるため、足踏み式ドアハンドル操作装置を外装のドアよりも更に耐久性や美観に優れている。使用者は、ドアの足踏み機構を使用して、足を使用してドアを簡単に開閉できる。もちろん手を使用してドアハンドルを操作してドアを開閉することもできるため、使用者は手を使用する場合と、足を使用する場合を適宜選択してドアを開閉できる。
【００５５】
以上、説明したように、本考案の足踏み式ドアハンドル操作装置とドアは、耐久性や美観に優れている。また、本考案の足踏み式ドアハンドル操作装置は、あらゆるタイプのドアに強固に取り付けることができ、垂直方向の寸法を調整できる。それにより、使用者は、ドアに設置されている足踏み式ドアハンドル操作装置又はドアの足踏み機構を使用して、足でドアを簡単に開閉できる。
【００５６】
なお、上述した足踏み式ドアハンドル操作装置とドアは一例であり、その構成は、考案の趣旨を逸脱しない範囲で、適宜変更可能である。
【符号の説明】
【００５７】
１００  足踏み式ドアハンドル操作装置
１１０  線状部材（ワイヤ）
１１１  ゴムバンド
１２０  案内機構
１２１、１４３  ベース
１２２、１２３  滑車（プーリー）
１２４、１４４  ボルト
１３０  直線部材
１３１  連結穴
１３２、１３３  板材
１３４  ネジ穴
１４０  足踏み機構
１４１  スプリング
１４２  第２の線状部材
１４５  足踏み板
１４６  滑車
１４７  滑車の回転軸
１４８  足踏み板の回転軸
１４９  突状部
２００、５００  ドア
２１０  レバーハンドル
２１１  回転軸
２１２  操作部
２１３  錠ケース
２１４  角芯
２１５  回転機構（滑車）
２２０、４３０  板材
２３０  ラッチボルト
２４０  ドア側面
２５０、４２０  框
２６０  ガイド
３１０  ドアノブ（円筒錠、握玉）
３２０  補助ハンドル
３２１  装着部
３２２  固定部材
３２３  レバー部
４１０  バーハンドル
４１１  ハンドル部
４１２  ハンドル固定部
４５０  押引機構
４５１  凸部形状
４５２  凸部形状の一部
４５３  案内機構
【図１】
0003229028.tif 000003
【図２】
0003229028.tif 000004
【図３】
0003229028.tif 000005
【図４】
0003229028.tif 000006
【図５】
0003229028.tif 000007
【図６】
0003229028.tif 000008